(57)【特許請求の範囲】
【請求項１】
固定バネと、この固定バネに連設された固定端子足部を有する固定端子と、可動バネと、この可動バネに連設された可動端子足部を有する可動端子と、で構成された開閉接点を備え、外被体に当該開閉接点を複数収容し、往復移動する移動体の移動によって前記複数の開閉接点を切換え操作する電磁リレーであって、
前記固定バネ及び前記可動バネの各長手方向が前記外被体の底面に平行であり、前記複数の開閉接点が前記移動体の移動方向に並んで配列されており、前記固定端子足部及び前記可動端子足部が、前記移動方向に対して直交する方向に互いに離間して前記底面から前記外被体の外方に突出することを特徴とする電磁リレー。
【請求項２】
前記固定端子足部は、前記固定バネに連なる固定端子リード部の先側に設けてあり、前記可動端子足部は、前記可動バネに連なる可動端子リード部の先側に設けてあって、前記固定端子リード部の屈曲方向と前記可動端子リード部の屈曲方向とを所定方向に設定することで、前記固定端子足部及び前記可動端子足部を、前記移動方向に対して直交する方向に互いに離間させたことを特徴とする請求項１に記載の電磁リレー。
【請求項３】
前記複数の開閉接点を、前記移動方向に沿って交互に二段で配置し、一段目の各開閉接点と二段目の各開閉接点とを絶縁隔壁部材で隔絶すると共に、前記二段目の各開閉接点の前記固定端子足部及び前記可動端子足部を、前記絶縁隔壁部材に貫通させて、前記底面から外方に突出させたことを特徴とする請求項２に記載の電磁リレー。
【請求項４】
前記絶縁隔壁部材は、その一方の面部に、前記二段目の各開閉接点が装着される複数の二段目開閉接点装着部と、これらの各二段目開閉接点装着部間を隔絶する隔壁が設けてあり、その他方の面部に、前記一段目の各開閉接点が装着される複数の一段目開閉接点装着部と、これらの各一段目開閉接点装着部間を隔絶する隔壁が設けてあって、前記二段目開閉接点装着部に前記二段目の各開閉接点を装着すると共に、前記一段目開閉接点装着部に前記一段目の各開閉接点を装着して端子ユニットを構成することを特徴とする請求項３に記載の電磁リレー。
【請求項５】
前記外被体がカバーとケースとで構成してあり、前記カバーに貫通孔部を設け、前記カバーに前記端子ユニットを組付けて、前記固定端子足部及び前記可動端子足部を前記貫通孔部に貫通させて当該カバーの外方に突出させ、前記カバーに、前記端子ユニットを覆うようにして前記ケースを装着するようにしたことを特徴とする請求項１〜４に記載の電磁リレー。
【発明の詳細な説明】
【技術分野】
【０００１】
本発明は、複数の開閉接点を備えた多極型の電磁リレーに関する。
【背景技術】
【０００２】
従来の、この種の電磁リレーとしては、樹脂成形されたカバーの上に、電磁石ブロック及び可動ブロックを縦姿勢で組み付けると共に、複数の開閉接点を、隔壁を挟んで前後２列に左右に並列装備して、各開閉接点から延出された端子足部をカバーの面部から突設したものが知られている（特許文献１参照）。
【０００３】
上記構成の電磁リレーは、基板への実装面積を小さくすることができるものであるが、高さが比較的大きいために嵩の低いハウジング内の基板に装着することが困難になる場合があった。
【０００４】
このような不具合を解決すべく、低背な多極型の電磁リレーが開発されている。この電磁リレーとしては、例えば、図２３乃至図２５に示すように、ハウジング２００の内部を隔壁２０１で縦方向（例えば、上下方向）に二つの開閉接点収容部２０２，２０３に区画し、上段の開閉接点収容部２０２に、図２４に示すように、固定端子２０４と可動端子２０５とからなる開閉接点２０６を、固定端子２０４の固定バネ２０４Ａ及び可動端子２０５の可動バネ２０５Ａが隔壁２０１に対して平行状態にして、それぞれ二組配置し、固定端子足部２０４Ｂと可動端子足部２０５Ｂをカバー２００Ａから突出させ、また、下段の開閉接点収容部２０３に、固定端子２０７と可動端子２０８とからなる開閉接点２０９を、固定端子２０７の固定バネ２０７Ａ及び可動端子２０８の可動バネ２０８Ａが隔壁２０１に対して平行状態にして、それぞれ二組配置し、固定端子足部２０７Ｂと可動端子足部２０８Ｂをカバー２００Ａから突出させる構成にしたものである。
【０００５】
この電磁リレーにおいては、固定端子足部２０４Ｂと可動端子足部２０５Ｂと固定端子足部２０７Ｂと可動端子足部２０８Ｂをカバー２００Ａから突出させるに当たって、図２３に示すように、上段の開閉接点２０６の固定端子足部２０４Ｂと可動端子足部２０５Ｂを、ハウジング２００の一側面２００Ｂに沿って隔壁２０１を貫通して下に降りるように配置し、下段の開閉接点２０９の固定端子足部２０７Ｂと可動端子足部２０８Ｂをハウジング２００の中央付近で並べるようにしてある（特許文献２参照）。
【特許文献１】特開平２０００−２８５７８２号公報
【特許文献２】特開平１１−２７３５３０号公報
【発明の開示】
【発明が解決しようとする課題】
【０００６】
電磁リレーをセーフティリレーとして構成した場合、セーフティリレーは、安全規格要求により、回路の二重性が必要になり、二つの電磁リレーを繋ぐことで回路の二重化を実施している。そして、上記した従来の電磁リレーを二個用い、開閉接点を繋ぐことで回路の二重化を実施した場合は、配線パターン設計が難しいものになっていた。
【０００７】
すなわち、上記したように、従来の電磁リレーにおいては、上段の開閉接点２０６の固定端子足部２０４Ｂと可動端子足部２０５Ｂを、ハウジング２００の一側面２００Ｂに沿って隔壁２０１を貫通して下に降りるように配置し、下段の開閉接点２０９の固定端子足部２０７Ｂと可動端子足部２０８Ｂをハウジング２００の中央付近で並べるようにしてあるために、図２７に示すように、一方の電磁リレーＲ１−１の固定端子足部２０４Ｂに配線パターン２１１を接続し、他方の電磁リレーＲ２−１の固定端子足部２０４Ｂに配線パターン２１２を接続し、一方の電磁リレーＲ１−１の可動端子足部２０５Ｂと他方の電磁リレーＲ２−１の可動端子足部２０５Ｂとを配線パターン２１３で接続する。また、一方の電磁リレーＲ１−１の固定端子足部２０７Ｂに配線パターン２１４を接続し、他方の電磁リレーＲ２−１の固定端子足部２０７Ｂに配線パターン２１５を接続し、一方の電磁リレーＲ１−１の可動端子足部２０８Ｂと他方の電磁リレーＲ２−１の可動端子足部２０８Ｂとを配線パターン２１６で接続する。また、同様に、他の組み合わせの固定端子足部２０４Ｂ及び可動端子足部２０５Ｂも配線パターン接続する。
【０００８】
この場合、配線パターン２１３が、一方の電磁リレーＲ１−１の可動端子足部２０８Ｂに接触するようになるし、また、配線パターン２１２が他方の電磁リレーＲ２−１の固定端子足部２０７Ｂに接触するようになるし、また、配線パターン２１６が、他方の電磁リレーＲ２−１の可動端子足部２０５Ｂに接触するようになるし、また、配線パターン２１４が一方の電磁リレーＲ１−１の固定端子足部２０４Ｂに接触するようになる。
【０００９】
このような配線パターン２１３，２１２，２１６，２１４の可動端子足部２０８Ｂ、固定端子足部２０７Ｂ、可動端子足部２０５Ｂ、固定端子足部２０４Ｂへの接触を無くすために、配線パターン２１１，２１３，２１２は、図２７において実線で示すように電磁リレーＲ１−１，Ｒ２−１が実装される基板（図示せず）の表面の配線パターンにしてあり、配線パターン２１４，２１５，２１６は、図２７において点線で示すように基板の裏面の配線パターンにしてある。
【００１０】
このように、配線パターン設計する際に、絶縁設計を実現するために、基板の裏面側も含めて配線引き回しをする必要があり、基板の両面を使う必要があるために、基板占有面積が増えて、基板に他の部品を載せるスペースが犠牲になるという問題点があった。
【００１１】
本発明は、このような実情に着目してなされたものであって、その目的とするところは、低背で且つコンパクトであって、基板に嵩低く実装することができると共に、電磁リレーが実装される基板のフットプリントの設計に合わせた固定端子足部及び可動端子足部の配置を決定することが可能になるし、セーフティリレーとして回路の二重化を実施するにあたって、配線パターンで接続する配線パターン設計が簡単且つ容易になって、広い基板占有面積が必要ではなく基板の一面のみの使用を可能にし、基板に他の部品を載せるスペースを残すことができる電磁リレーを提供することである。
【課題を解決するための手段】
【００１２】
上記の目的を達成するために、本発明に係る電磁リレーは、固定バネと、この固定バネに連設された固定端子足部を有する固定端子と、可動バネと、この可動バネに連設された可動端子足部を有する可動端子と、で構成された開閉接点を備え、外被体に当該開閉接点を複数収容し、往復移動する移動体の移動によって複数の開閉接点を切換え操作する電磁リレーであって、固定バネ及び可動バネの各長手方向が外被体の底面に平行であり、複数の開閉接点が移動体の移動方向に並んで配列されており、固定端子足部及び可動端子足部が、移動方向に対して直交する方向に互いに離間して底面から外被体の外方に突出することを特徴とするものである。ここで、外被体とは、例えば、カバーとケースとで構成された筐体が該当し、底面とは、例えば、カバーが該当する。
【００１３】
かかる構成により、複数の開閉接点は、それぞれの固定バネ及び可動バネを、それぞれの長手方向が外被体の底面に平行になるように配置されるので、電磁リレーが低背で且つコンパクトなものになって、基板に嵩低く実装することができる。
【００１４】
また、本発明の電磁リレーでは、複数の開閉接点は移動体の移動方向に並列させてあり、且つ、固定端子足部及び可動端子足部は、移動体の移動方向に対して直交する方向に互いに離間させて、底面から外方に突出させるようにしてあるために、電磁リレーが実装される基板のフットプリントの設計に合わせた固定端子足部及び可動端子足部の配置を決定することが可能になる。
【００１５】
また、電磁リレーをセーフティリレーとして構成した場合、セーフティリレーは、安全規格要求により回路の二重性が必要になり、異なる電磁リレーの開閉接点を繋ぐことで回路の二重化を実施しているが、この場合、本発明の電磁リレーを二個用い回路の二重化を実施するにあたって、二個の電磁リレーを配線パターンで接続する配線パターン設計が簡単且つ容易になり、従来のように絶縁設計を実現するために、基板の裏側も含めて配線引き回しをする必要が無くなる。このために、広い基板占有面積が必要ではなく、基板の一面のみの使用が可能になり、基板に他の部品を載せるスペースを残すことができる。
【００１６】
また、本発明に係る電磁リレーは、上記した本発明に係る電磁リレーにおいて、固定端子足部が、固定バネに連なる固定端子リード部の先側に設けてあり、可動端子足部が、可動バネに連なる可動端子リード部の先側に設けてあって、固定端子リード部の屈曲方向と可動端子リード部の屈曲方向とを所定方向に設定することで、固定端子足部及び可動端子足部を、移動方向に対して直交する方向に互いに離間させたものである。
【００１７】
かかる構成により、端子リード部を所定の方向に屈曲させて、固定端子足部及び可動端子足部を、移動体の移動方向に対して直交する方向に互いに離間させることができる。このために、電磁リレーが実装される基板のフットプリントの設計に合わせた固定端子足部及び可動端子足部の配置を決定することが可能になる。
【００１８】
また、本発明に係る電磁リレーは、上記した本発明に係る電磁リレーにおいて、複数の開閉接点を、移動方向に沿って交互に二段で配置し、一段目の各開閉接点と二段目の各開閉接点とを絶縁隔壁部材で隔絶すると共に、二段目の各開閉接点の固定端子足部及び可動端子足部を、絶縁隔壁部材に貫通させて、底面から外方に突出させたものである。
【００１９】
かかる構成により、電磁リレーが実装される基板のフットプリントの設計に合わせた固定端子足部及び可動端子足部の配置構成を有することの他に、一段目の開閉接点と二段目の開閉接点とを絶縁隔壁部材で隔絶することで、一段目の開閉接点と二段目の開閉接点との絶縁距離を適正化することが容易になる。また、開閉接点が、絶縁隔壁部材を挟んで移動体の移動方向に沿って交互に二段で配置されるので、同数の開閉接点の全部を一段に並列に配置する場合に比べて、移動体の移動方向にコンパクトに構成することができる。
【００２０】
また、セーフティリレーとして回路の二重化を実施するにあたって、配線パターンで接続する配線パターン設計が容易になって、基板占有面積を狭くして基板の一面のみの使用を可能にし、基板に他の部品を載せるスペースを残すことができる。
【００２１】
また、本発明に係る電磁リレーは、上記した本発明に係る電磁リレーにおいて、絶縁隔壁部材に、その一方の面部に、二段目の各開閉接点が装着される複数の二段目開閉接点装着部と、これらの各二段目開閉接点装着部間を隔絶する隔壁が設けてあり、その他方の面部に、一段目の各開閉接点が装着される複数の一段目開閉接点装着部と、これらの各一段目開閉接点装着部間を隔絶する隔壁が設けてあって、二段目開閉接点装着部に二段目の各開閉接点を装着すると共に、一段目開閉接点装着部に一段目の各開閉接点を装着して端子ユニットを構成するものである。
【００２２】
かかる構成により、二段目の各開閉接点を二段目開閉接点装着部に装着して、二段目の各開閉接点を絶縁隔壁部材の一方の面部に取付け、一段目の各開閉接点を一段目開閉接点装着部に装着して、一段目の各開閉接点を一段目の開閉接点を絶縁隔壁部材の他方の面部に取付けることで端子ユニットを構成することができる。したがって、全体をコンパクトに構成することができるので、部品組立てが容易になる。また、一段目及び二段目開閉接点装着部間の隔壁で絶縁距離を適正化することが容易になる。
【００２３】
また、本発明に係る電磁リレーは、上記した本発明に係る電磁リレーにおいて、外被体がカバーとケースとで構成してあり、カバーに貫通孔部を設け、カバーに端子ユニットを組付けて、固定端子足部及び可動端子足部を貫通孔部に貫通させて当該カバーの外方に突出させ、カバーに、端子ユニットを覆うようにしてケースを装着するようにしたものである。
【００２４】
かかる構成により、一段目の各開閉接点は絶縁隔壁部材とカバーとで保持され、二段目の各開閉接点は絶縁隔壁部材とケースとで保持されることで、一段目及び二段目の各開閉接点は確実に保持される。
【発明の効果】
【００２５】
本発明に係る電磁リレーによれば、複数の開閉接点は、固定バネ及び可動バネを、それぞれの長手方向が外被体の底面に平行になるように配置されるので、電磁リレーが低背で且つコンパクトなものになって、基板に嵩低く実装することができる。
【００２６】
また、本発明の電磁リレーでは、複数の開閉接点は移動体の移動方向に並列させてあり、且つ、固定端子足部及び可動端子足部は、移動体の移動方向に対して直交する方向に互いに離間させて、外被体の底面から外方に突出させるようにしてあるために、電磁リレーが実装される基板のフットプリントの設計に合わせた固定端子足部及び可動端子足部の配置を決定することが可能になる。
【００２７】
また、電磁リレーをセーフティリレーとして構成した場合、セーフティリレーは、安全規格要求により回路の二重性が必要になり、異なる電磁リレーの開閉接点を繋ぐことで回路の二重化を実施しているが、この場合、本発明の電磁リレーを二個用い回路の二重化を実施するにあたって、二個の電磁リレーを配線パターンで接続する配線パターン設計が簡単且つ容易になり、従来のように絶縁設計を実現するために、基板の裏側も含めて配線引き回しをする必要が無くなる。このために、広い基板占有面積が必要ではなく、基板の一面のみの使用が可能になり、基板に他の部品を載せるスペースを残すことができる。
【発明を実施するための最良の形態】
【００２８】
以下、本発明の実施の形態を図面に基づいて説明する。
【００２９】
図１に、本発明に係る電磁リレーの斜視図を示し、また、図２に、その下面側から見た斜視図を示し、図３に、その分解状態の斜視図を示す。なお、本発明の実施の形態の説明にあたって、便宜上、前後方向、左右方向及び上下方向を図示のように設定する。
【００３０】
この電磁リレーは、図３に示すように、左右に長く前後に幅狭く樹脂成形されたカバー１と、このカバー１上に配置される端子取付部材を兼ねる絶縁隔絶部材としてのベース２と、このベース２に上下二段に亘って組付けられる多極型の上、下段の開閉接点３，４と、ベース２の長手方向である左右方向に直線往復移動可能な開閉接点切換え用の移動体としてのカード５と、カバー１の長手方向の一方の側端部である左端部に組付けられる電磁石ブロック６と、カバー１に対して垂直方向である上下方向に沿う支点Ｐを中心に回動自在に支持され且つ電磁石ブロック６に対向配備されたカード駆動用の可動ブロック７と、カバー１に対して上方から外嵌装着されるケース８を備えており、カバー１とケース８とで外被体が構成してあり、ベース２と上、下段の開閉接点３，４とで端子ユニットＵを構成している。次に、各部の詳細な構造を次に説明する。
【００３１】
カバー１には、図２、図３及び図１０に示すように、その長手方向である左右方向に所定の間隔をおいて、第１固定端子貫通孔部１４Ａと、第３可動端子貫通孔部１４Ｂと、第５可動端子貫通孔部１４Ｃが形成してある。また、カバー１には、左右方向に所定の間隔をおいて、第２固定端子貫通孔部１０Ａと、第４固定端子貫通孔部１０Ｂと、第６固定端子貫通孔部１０Ｃが形成してあり、また、カバー１の内面１ａには、カバー側隔壁１１Ａ，１１Ｂ，１１Ｃ，１１Ｄ，１１Ｅ，１１Ｆが突設してあって、カバー側隔壁１１Ｄの前端部側に第２固定端子貫通孔部１０Ａが位置しており、カバー側隔壁１１Ｅの前端部側に第４固定端子貫通孔部１０Ｂが位置しており、カバー側隔壁１１Ｆの前端部側に第６固定端子貫通孔部１０Ｃが位置している。
【００３２】
また、カバー１の後側縁部（短手方向の一辺縁部）には、切欠き部１２Ａ，１２Ｂ，１２Ｃ，１２Ｄが、カバー１の左右方向に所定の間隔をおいて形成してある。また、カバー１には、その左端部にコイル端子貫通孔部１５Ａ，１５Ｂが形成してある。
【００３３】
端子ユニットＵの構成要素である上、下段の開閉接点３，４は、図１１及び図１２に示すように、左右方向（カード５の移動方向）に沿って並列であって、二段目の開閉接点である上段の開閉接点３としては、３極の接点、すなわち、左右に並列された第１，第３、第５接点３Ａ，３Ｂ、３Ｃであり、左端の第１接点３Ａは１組の常閉回路（常閉接点）を構成し、中央および右端の接点、すなわち，第３，第５接点３Ｂ，３Ｃが２組の常開回路（常開接点）を構成している。また、一段目の開閉接点である下段の開閉接点４としては、３極の接点、すなわち、左右に並列された第２，第４、第６接点４Ａ，４Ｂ、４Ｃであり、３組の常開回路を構成している。
【００３４】
図１１乃至図１３に示すように、上段の開閉接点３の第１接点３Ａは第１固定端子２０Ａと第１可動端子２１Ａとで構成してあり、第３接点３Ｂは第３固定端子２０Ｂと第３可動端子２１Ｂとで構成してあり、第５接点３Ｃは第５固定端子２０Ｃと第５可動端子２１Ｃとで構成してある。
【００３５】
また、図１１、図１２及び図１７に示すように、下段の開閉接点４における第２接点４Ａは第２固定端子２２Ａと第２可動端子２３Ａとで構成してあり、第４接点４Ｂは第４固定端子２２Ｂと第４可動端子２３Ｂとで構成してあり、第６接点４Ｃは第６固定端子２２Ｃと第６可動端子２３Ｃとで構成してある。
【００３６】
また、図１４に示すように、第１接点３Ａでは、その第１固定端子２０Ａは、固定端子リード部３７を有する固定側支持部３４と、この固定側支持部３４に可締めにより固定された固定バネ３５と、この固定バネ３５の先端部に固着された固定接点３６を有しており、可締め部分が圧入部３４Ｆにしてあり、固定端子リード部３７の先側に固定端子足部３７Ａが設けてある。すなわち、固定端子リード部３７は、固定側支持部３４の前端部から前方に突出しクランク形状に屈曲した第１屈曲部３７ａと、この第１屈曲部３７ａの先側で下方に傾斜し且つ前方に突出する第２屈曲部３７ｂを有し、固定端子足部３７Ａは、第２屈曲部３７ｂの先側において下方向に直角に屈曲している。なお、図１４では、第１可動端子２１Ａの可動接点４０は、固定接点３６に対して離して表示してある。
【００３７】
また、図１５に示すように、第１接点３Ａの第１可動端子２１Ａは、可動端子リード部４１を有する可動側支持部３８と、この可動側支持部３８に可締めにより固定された可動バネ３９と、この可動バネ３９の先端部に固着された可動接点４０を有しており、可締め部分が圧入部３８Ｆにしてあり、可動端子リード部４１の先側に可動端子足部４１Ａが設けてある。すなわち、可動端子リード部４１は、可動側支持部３８の後端部において、圧入部３８の面部に対して直角に屈曲した第１屈曲部４１ａを有しており、可動端子足部４１Ａは、第１屈曲部４１ａの先側において下方向に直角に屈曲している。
【００３８】
また、図１６に示すように、第３接点３Ｂの第３固定端子２０Ｂは、固定端子リード部２７を有する固定側支持部２４と、この固定側支持部２４に可締めにより固定された固定バネ２５と、この固定バネ２５の先端部に固着された固定接点２６を有していて、可締め部分が圧入部２４Ｆにしてあり、固定端子リード部２７の先側に固定端子足部２７Ａが設けてある。すなわち、固定端子リード部２７は、固定側支持部２４の後端部において、固定側支持部２４の面部に対して直角に屈曲した第１屈曲部２７ａを有しており、固定端子足部２７Ａは、第１屈曲部２７ａの先側において下方向に直角に屈曲している。したがって、固定端子足部２７Ａは固定バネ２５の後端部の側方に位置している。
【００３９】
また、図１６に示すように、第３接点３Ｂの第３可動端子２１Ｂは、可動端子リード部３３を有する可動側支持部３０と、この可動側支持部３０に可締めにより固定された可動バネ３１と、この可動バネ３１の先端部に固着された可動接点３２を有していて、可締め部分が圧入部３０Ｆにしてあり、可動端子リード部３３の先側に可動端子足部３３Ａが設けてある。すなわち、可動端子リード部３３は、可動側支持部３０の前端部から前方に突出しクランク形状に屈曲した第１屈曲部３３ａと、この第１屈曲部３３ａの先側で下方に傾斜した後前方に突出する第２屈曲部３３ｂを有しており、可動端子足部３３Ａは、この第２屈曲部３３ｂの先側において下方向に直角に屈曲している。したがって、可動端子足部３３Ａは可動バネ３１の中間部の側方に位置している。
【００４０】
また、図１６に示すように、第５接点３Ｃは第３接点３Ｂと同構成であって、この第５接点３Ｃにおける第５固定端子２０Ｃは第３固定端子２０Ｂと同構成であり、第５可動端子２１Ｃは第３可動端子２１Ｂと同構成である。したがって、同じ符号を付して説明を省略するが、第５固定端子２０Ｃの固定端子足部を２７Ａ−１とし、第５可動端子２１Ｃの可動端子足部を３３Ａ−１とする。
【００４１】
上記した下段の開閉接点４において、図１８及び図１９に示すように、第２接点４Ａの第２固定端子２２Ａは、固定端子リード部４５を有する固定側支持部４２と、この固定側支持部４２に可締めにより固定された固定バネ４３と、この固定バネ４３の先端部に固着された固定接点４４を有していて、可締め部分が圧入部４２Ｆにしてあり、固定端子リード部４５の先側に固定端子足部４５Ａが設けてある。すなわち、固定端子リード部４５は、固定側支持部４２の前端部から前方に突出しクランク形状に屈曲した第１屈曲部４５ａと、この第１屈曲部４５ａの先側でクランク形状に屈曲した第２屈曲部４５ｂを有しており、固定端子足部４５Ａは、この第２屈曲部４５ｂの先側において下方向に直角に屈曲している。したがって、固定端子足部４５Ａは固定バネ４３の中間部の側方に位置している。
【００４２】
また、図１８及び図２０に示すように、第２接点４Ａの第２可動端子２３Ａは、可動端子リード部４９を有する可動側支持部４６と、この可動側支持部４６に可締めにより固定された可動バネ４７と、この可動バネ４７の先端部に固着された固定接点４８を有していて、可締め部分が圧入部４６Ｆにしてあり、可動端子リード部４９の先側に可動端子足部４９Ａが設けてある。すなわち、可動端子リード部４９は、可動側支持部４６の後端部において、可動側支持部４６の面部に対して直角に屈曲した第１屈曲部４９ａを有しており、可動端子足部４９Ａは、この第１屈曲部４９ａの先側において下方向に直角に屈曲している。したがって、可動端子足部４９Ａは可動バネ４７の後端部の側方に位置している。
【００４３】
また、図１８に示すように、第４接点４Ｂ及び第６接点４Ｃは第２接点４Ａと同構成であって、この第４接点４Ｂにおける第４固定端子２２Ｂ及び第６接点４Ｃにおける第６固定端子２２Ｃは第２固定端子２２Ａと同構成であり、第４可動端子２３Ｂ及び第６可動端子２３Ｃは第２可動端子２３Ａと同構成である。したがって、同じ符号を付して説明を省略するが、第４固定端子２２Ｂの固定端子足部を４５Ａ−１とし、第６固定端子２２Ｃの固定端子足部を４５Ａ−２とし、第４可動端子２３Ｂの可動端子足部を４９Ａ−１とし、第６可動端子２３Ｃの可動端子足部を４９Ａ−２とする。そして、第１〜第６可動端子２１Ａ，２３Ａ，２１Ｂ，２３Ｂ，２１Ｃ，２３Ｃは、それぞれの可動バネ３１，３９，４７の先端部（自由端部）にカード係止部５０を有している。
【００４４】
ベース２は、図８に示すように、上段の開閉接点３と下段の開閉接点４とを隔絶するプレート状のベース本体５１を有しており、このベース本体５１の前側部には移動体保持部であるカード保持部１２０が形成してあり、ベース本体５１の左端部にはブロック取付部１１０が設けてある。
【００４５】
ベース本体５１の一方の面部である上面部５１ａには、第１開閉接点装着部５２Ａと、第３開閉接点装着部５２Ｂと、第５開閉接点装着部５２Ｃが設けてあり、これらの第１開閉接点装着部５２Ａ、第３開閉接点装着部５２Ｂ及び第５開閉接点装着部５２Ｃは二段目開閉接点装着部を構成する。また、第１開閉接点装着部５２Ａと第３開閉接点装着部５２Ｂとは隔壁５５，５６により区画してあり、第３開閉接点装着部５２Ｂと第５開閉接点装着部５２Ｃとは隔壁５７により区画してあり、ベース本体５１における隔壁５５，５６間は開口部５８にしてある。この開口部５８の後端部には復帰ばね取付部５９が形成してある。
【００４６】
そして、図８に示すように、第１開閉接点装着部５２Ａは第１固定端子装着部５３と第１可動端子装着部５４を備えており、第１固定端子装着部５３と第１可動端子装着部５４との間に隔壁６０が設けてある。そして、第１固定端子装着部５３には端子圧入凹部６１と固定端子挿入孔部６２が設けてあり、第１可動端子装着部５４には端子圧入凹部６３と可動端子挿入孔部６４が設けてある。
【００４７】
また、第３開閉接点装着部５２Ｂは第３固定端子装着部６５と第３可動端子装着部６６を備えており、第３可動端子装着部６５と第３固定端子装着部６６との間に隔壁６７が設けてある。そして、第３固定端子装着部６５には端子圧入凹部６８と固定端子挿入孔部７１が設けてあり、第３可動端子装着部６６には端子圧入凹部７０と可動端子挿入孔部６９が設けてある。
【００４８】
また、第５開閉接点装着部５２Ｃは第５可動端子装着部７２と第５固定端子装着部７３を備えており、第５可動端子装着部７２と第５固定端子装着部７３との間には隔壁７４が設けてある。そして、第５可動端子装着部７２には端子圧入凹部７５と可動端子挿入孔部７６とが設けてあり、第５固定端子装着部７３には端子圧入凹部７７と固定端子挿入孔部７８が設けてある。
【００４９】
また、図９に示すように、ベース本体５１の他方の面部である下面部５１ｂには、第２開閉接点装着部７９Ａと、第４開閉接点装着部７９Ｂと、第６開閉接点装着部７９Ｃが設けてある。これらの第２開閉接点装着部７９Ａ、第４開閉接点装着部７９Ｂ及び第６開閉接点装着部７９Ｃは一段目開閉接点装着部を構成する。また、第２開閉接点装着部７９Ａと第４開閉接点装着部７９Ｂとは隔壁５５Ａ，５６Ａにより区画してあり、第４開閉接点装着部７９Ｂと第６開閉接点装着部７９Ｃとは隔壁５７Ａにより区画してある。
【００５０】
また、第２開閉接点装着部７９Ａは第２固定端子装着部８２と第２可動端子装着部８３を備えており、第２固定端子装着部８２と第２可動端子装着部８３との間には隔壁８４が設けてある。そして、第２固定端子装着部８２には端子圧入凹部８５が設けてあり、第２可動端子装着部８３には端子圧入凹部８６が設けてある。
【００５１】
また、第４開閉接点装着部７９Ｂは第４固定端子装着部８７と第４可動端子装着部８８を備えており、第４固定端子装着部８７と第４５可動端子装着部８８との間には隔壁８９が設けてある。そして、第４固定端子装着部８７には端子圧入凹部９０が設けてあり、第４可動端子装着部８８には端子圧入凹部９１が設けてある。
【００５２】
また、第６開閉接点装着部７９Ｃは第６固定端子装着部９２と第６可動端子装着部９３を備えており、第６固定端子装着部９２と第６可動端子装着部９３との間には隔壁９４が設けてある。そして、第６固定端子装着部９２には端子圧入凹部９５が設けてあり、第６可動端子装着部９３には端子圧入凹部９６が設けてある。
【００５３】
そして、図９に示すように、ベース本体５１の下面部５１ｂには、端子挿入孔部６２が開口した第１の端子保持部９７と、端子挿入孔部７１が開口した第２の端子保持部９８と、端子挿入孔部７６が開口した第３の端子保持部９９が突設してあり、また、ベース本体５１の下面部５１ｂの後縁部には、端子挿入孔部６４が開口した第４の端子保持部１００と、端子挿入孔部６９が開口し且つ保持溝部１０１ａを有する第５の端子保持部１０１と、端子挿入孔部７８が開口し且つ保持溝部１０２ａを有する第６の端子保持部１０２と、保持溝部１２１ａを有する第７の端子保持部１２１が突設してある。
【００５４】
上記のように構成されたベース２において、図５及び図６に示すように、第１開閉接点装着部５２Ａの第１固定端子装着部５３には、第１固定端子２０Ａが装着してある。この場合、第１固定端子２０Ａの圧入部３４Ｆが端子圧入凹部６１に圧入してあり、第１固定端子２０Ａの固定端子足部３７Ａが固定端子挿入孔部６２に挿入してあって、ベース２の下方に突出している。
【００５５】
また、第１開閉接点装着部５２Ａの第１可動端子装着部５４には第１可動端子２１Ａが装着してある。この場合、第１可動端子２１Ａの圧入部３８Ｆが端子圧入凹部６３に圧入してあり、また、第１可動端子２１Ａの可動端子足部４１Ａが可動端子挿入孔部６４に挿入してあって、ベース２の下方に突出している。
【００５６】
また、第３開閉接点装着部５２Ｂの第３固定端子装着部６６には第３固定端子２０Ｂが装着してある。この場合、第３固定端子２０Ｂの圧入部２４Ｆが端子圧入凹部６８に圧入してあり、また、第３固定端子２０Ｂの固定端子足部２７Ａが固定端子挿入孔部６９に挿入してあって、ベース２の下方に突出している。
【００５７】
また、第３開閉接点装着部５２Ｂの第３可動端子装着部６５には第３可動端子２１Ｂが装着してある。この場合、第３可動端子２１Ｂの圧入部３０Ｆが端子圧入凹部７０に圧入してあり、また、第３可動端子２１Ｂの可動端子足部３３Ａが可動端子挿入孔部７１に挿入してあって、ベース２の下方に突出している。
【００５８】
また、第５開閉接点装着部５２Ｃの第５可動端子装着部７２には第５可動端子２１Ｃが装着してある。この場合、第５可動端子２１Ｃの圧入部３０Ｆが端子圧入凹部７５に圧入してあり、また、第５可動端子２１Ｃの可動端子足部３３Ａ−１が可動端子挿入孔部７６に挿入してあって、ベース２の下方に突出している。
【００５９】
また、第５固定端子装着部７３には第５固定端子２０Ｃが装着してある。この場合、第５固定端子２０Ｃの圧入部２４Ｆが端子圧入凹部７７に圧入してあり、また、第５固定端子２０Ｃの固定端子足部２７Ａ−１が固定端子挿入孔部７８に挿入してあって、ベース２の下方に突出している。
【００６０】
また、図７に示すように、第２開閉接点装着部７９Ａの第２固定端子装着部８２には第２固定端子２２Ａが装着してあり、この場合、第２固定端子２２Ａの圧入部４２Ｆが端子圧入凹部８５に圧入してあり、また、第２固定端子２２Ａの固定端子足部４５Ａがベース２の下方に突出している。
【００６１】
また、第２可動端子装着部８３には第２可動端子２３Ａが装着してあり、この場合、第２可動端子２３Ａの圧入部４６Ｆが端子圧入凹部８６に圧入してあり、第２可動端子２３Ａの可動端子足部４９Ａが、保持溝部１０１ａに保持された状態でベース２の下方に突出している。
【００６２】
また、第４固定端子装着部８７には第４固定端子２２Ｂが装着してあり、この場合、第４固定端子２２Ｂの圧入部４２Ｆが端子圧入凹部９０に圧入してあり、また、第４固定端子２２Ｂの固定端子足部４５Ａ−１がベース２の下方に突出している。
【００６３】
また、第４可動端子装着部８８には第４可動端子２３Ｂが装着してあり、この場合、第４可動端子２３Ｂの圧入部４６Ｆが端子圧入凹部９１に圧入してあり、第４可動端子２３Ｂの可動端子足部４９Ａ−１が、保持溝部１０２ａに保持された状態でベース２の下方に突出している。
【００６４】
また、第６固定端子装着部９２には第６固定端子２２Ｃが装着してあり、この場合、第６固定端子２２Ｃの圧入部４２Ｆが端子圧入凹部９５に圧入してあり、また、第６固定端子２２Ｃの固定端子足部４５Ａ−２がベース２の下方に突出している。
【００６５】
また、第６可動端子装着部９３には第６可動端子２３Ｃが装着さしてあり、この場合、第６可動端子２３Ｃの圧入部４６Ｆが端子圧入凹部９６に圧入してあり、第６可動端子２３Ｃの可動端子足部４９Ａ−２が、保持溝部１２１に保持された状態でベース２の下方に突出している。
【００６６】
そして、ベース本体５１における隔壁５６，５７間の開口部５８には、先端にカード係止部１０３Ａを有する復帰ばね１０３が配置してあり、この復帰ばね１０３は復帰ばね取付部５９に取付けてある。
【００６７】
また、ブロック取付部１１０には電磁石ブロック６が取付けてある。この電磁石ブロック６は、図４に示されるように、鉄心１０５に外嵌した樹脂製のボビン１０６にコイル１０７を巻回すると共に、鉄心１０５の上、下両端に両極のヨーク１０８を可締め付け連結して構成してあり、各ヨーク１０８の屈曲端部側に可動ブロック７が配置してある。また、コイル１０７には一対のコイル端子１０９が接続してある（図５参照）。このコイル１０７は、その径が小さくしてあり、高性能なものである。
【００６８】
可動ブロック７は、図４に示すように、樹脂成形されたブロック本体１１１と、これに嵌入止着される厚肉鉄板からなる鉄片１１２と、鉄片１１２の中央に吸着固定される角ブロック状の永久磁石１１３と、鉄片１１２の上下に取付けられる非磁性金属からなる遮磁板１１４と、ブロック本体１１１に上下から挿通される金属製の支点軸１１５とから構成してあり、この支点軸１１５の両端部が、ベース２に設けた軸受け部１１６の軸受け孔１１７と軸受け孔１１８に回動自在に嵌入支持されている（図５及び図７参照）。
【００６９】
また、図５に示すように、ベース２のベース本体５１には、カード保持部１２０によって、カード５が左右方向に直線スライド可能に案内保持されており、カード５には、第１〜第６可動端子２１Ａ，２３Ａ，２１Ｂ，２３Ｂ，２１Ｃ，２３Ｃのそれぞれの可動バネ３１，３９，４７の先端のカード係止部５０と、復帰ばね１０３の先端のカード係止部１０３Ａが係止してあり、カード５の左右往復移動によって各可動バネ３１，３９，４７が変位されて開閉接点切換えが行われるようになっている。なお、このカード５には、復帰ばね１０３の弾性力によって常に電磁石ブロック６側への復帰力が付与されている。
【００７０】
上記したように、電磁ブロック６、可動ブロック７及びカード５を組付けた端子ユニットＵは、図２及び図５に示すように、カバー１に装着してある。この場合、図２に示すように、第１の端子保持部９７がカバー１の第１固定端子貫通孔部１４Ａに臨んでいて、この第１固定端子貫通孔部１４Ａに固定端子足部３７Ａが貫通しており、第２の端子保持部９８がカバー１の第３可動端子貫通孔部１４Ｂに臨んでいて、この第３可動端子貫通孔部１４Ｂに可動端子足部３３Ａが貫通しており、第３の端子保持部９９がカバー１の第５可動端子貫通孔部１４Ｃに臨んでいて、この第５可動端子貫通孔部１４Ｃに可動端子足部３３Ａ−１が貫通してある。
【００７１】
また、第４の端子保持部１００がカバー１の切欠き部１２Ａに挿入してあり、第５の端子保持部１０１がカバー１の切欠き部１２Ｂに挿入してあり、第６の端子保持部１０２がカバー１の切欠き部１２Ｃに挿入してあり、また、第７の端子保持部１２１がカバー１の切欠き部１２Ｄに挿入してある。
【００７２】
また、第２固定端子２２Ａ、第４固定端子２２Ｂ及び第６固定端子２２Ｃのそれぞれの固定端子足部４５Ａ，４５Ａ−１，４５Ａ−２がカバー１の第２固定端子貫通孔部１０Ａ、第４固定端子貫通孔部１０Ｂ及び第６固定端子貫通孔部１０Ｃを貫通している。
【００７３】
そして、カバー１に対して上方から、電磁石ブロック６、可動ブロック７及びカード５を組付けた端子ユニットＵを覆うようにしてケース８が着脱可能に装着してある。
【００７４】
この場合、電磁石ブロック６および可動ブロック７は、この可動ブロック７の支点Ｐを中心とした支持軸１１５の仮想軸線が、カバー１の面部に対して、上下方向に延びるように、すなわち、カバー１に対して、倒れ姿勢で配置される一方、上、下段の開閉接点３，４を構成する第１〜第６固定端子２０Ａ，２２Ａ，２０Ｂ，２２Ｂ，２０Ｃ，２２Ｃの固定バネ２５，３５，４３及び第１〜第６可動端子２１Ａ，２３Ａ，２１Ｂ，２３Ｂ，２１Ｃ，２３Ｃの可動バネ３１，３９，４７も、その長手方向が、カバー１の面部に対して平行になるように、すなわち、カバー１に対して、倒れ姿勢になるように配置される。
【００７５】
そして、コイル１０７への通電が断たれている非励磁時には、図４に示すように、可動ブロック７は、復帰ばね１０３の復帰力により時計回り方向に回動しており、上段の開閉接点３では、第1接点３Ａが閉作動し、第３接点３Ｂ及び第５接点３Ｃが開作動しており、また、下段の開閉接点４では、第２接点４Ａ、第４接点４Ｂ及び第６接点４Ｃのそれぞれが開作動している。
【００７６】
また、コイル１０７へ通電された励磁時には、可動ブロック７は復帰ばね１０３の復帰力に抗して反時計回り方向に回動してカード５が左方にスライド移動されて上、下段の開閉接点３，４の切換えが行われて、上段の開閉接点３では、第１接点３Ａが開作動し、第３接点３Ｂ、第５接点３Ｃが閉作動し、また、下段の開閉接点４では、第２接点４Ａ、第４接点４Ｂ及び第６接点４Ｃのそれぞれが閉作動する。
【００７７】
また、電磁リレーをセーフティリレーとして構成した場合、セーフティリレーは、安全規格要求により回路の二重性が必要になり、二つの電磁リレーの開閉接点を繋ぐことで回路の二重化を実施しているが、この場合、本発明の電磁リレーを二個用い回路の二重化を実施するにあたって、図２２に示すように、一方の電磁リレーＲ１の可動端子足部４１Ａ，４９Ａ、固定端子足部２７Ａ、可動端子足部４９Ａ−１、固定端子足部２７Ａ−１、可動端子足部４９Ａ−２に配線パターン１３０〜１３６を接続し、一方の電磁リレーＲ１の（固定端子足部３７Ａ，４５Ａ、可動端子足部３３Ａ、固定端子足部４５Ａ−１、可動端子足部３３Ａ−１、固定端子足部４５Ａ−２）と他方の電磁リレーＲ２の（可動端子足部４１Ａ，４９Ａ、固定端子足部２７Ａ、可動端子足部４９Ａ−１、固定端子足部２７Ａ−１、可動端子足部４９Ａ−２）とを配線パターン１３７〜１４２で接続し、他方の電磁リレーＲ２の固定端子足部３７Ａ，４５Ａ、可動端子足部３３Ａ、固定端子足部４５Ａ−１、可動端子足部３３Ａ−１、固定端子足部４５Ａ−２に配線パターン１４３〜１４８を接続する。
【００７８】
この場合、配線パターン１３０〜１３６，１３７〜１４２，１４３〜１４８の引き回しが簡単になるために、配線パターン１３０〜１３６，１３７〜１４２，１４３〜１４８は、電磁リレーＲ１，Ｒ２が実装される基板（図示せず）の表面の配線パターンで行なわれる。
【００７９】
このような配線パターン設計は、電磁リレーＲ１，Ｒ２において、第１，第３，第５接点３Ａ、３Ｂ，３Ｃ及び第２，第４，第６接点４Ａ、４Ｂ，４Ｃはカード５の移動方向（カバー１の長手方向）に並列させてあり、且つ、固定端子足部３７Ａ，４５Ａ，２７Ａ，４５Ａ−１，２７Ａ−１，４５Ａ−２及び可動端子足部４１Ａ、４９Ａ，３３Ａ、４９Ａ−１，３３Ａ−１、４９Ａ−２が、カード５の移動方向に対して直交する方向（カバー１の短手方向）に互いに離間させて、カバー１の面部から外方に突出させるようにしてあるために可能になる。
【００８０】
上記したように、本発明の実施の形態によれば、第１接点３Ａ、第３接点３Ｂ、第５接点３Ｃ、第２接点４Ａ、第４接点４Ｂ及び第６接点４Ｃは、固定バネ３５，２５，４３及び可動バネ３９，３１，４７を、それぞれの長手方向がカバー１の面部に平行になるように配置されるので、電磁リレーが低背で且つコンパクトになって、基板に嵩低く実装することができる。
【００８１】
また、電磁リレーが実装される基板のフットプリントの設計に合わせた固定端子足部３７Ａ，４５Ａ，２７Ａ，４５Ａ−１，２７Ａ−１，４５Ａ−２及び可動端子足部４１Ａ、４９Ａ，３３Ａ、４９Ａ−１，３３Ａ−１、４９Ａ−２の配置を決定することが可能になるし、電磁リレーをセーフティリレーとして構成した場合、セーフティリレーは、安全規格要求により回路の二重性が必要になり、異なる電磁リレーの開閉接点を繋ぐことで回路の二重化を実施しているが、この場合、本発明の電磁リレーを二個用い回路の二重化を実施するにあたって、配線パターン１３０〜１３６，１３７〜１４２，１４３〜１４８の引き回しが簡単になるために、配線パターン１３０〜１３６，１３７〜１４２，１４３〜１４８を、電磁リレーＲ１，Ｒ２が実装される基板（図示せず）の表面の配線パターンで行なうことができる。
【００８２】
このように、基板の裏側も含めて配線引き回しをする必要が無くなるために、基板占有面積を狭くして基板の一面のみの使用を可能にし、基板に他の部品を載せるスペースを残すことができる。
【００８３】
また、本発明の実施の形態によれば、固定端子リード部３７，２７，４５を固定側支持部３４，２４，４２に対して所定の方向に屈曲させ、可動端子リード部４１，３３，４９を可動側支持部３８，３０，４６に対して所定の方向に屈曲させ、固定端子足部３７Ａ，４５Ａ，２７Ａ，４５Ａ−１，２７Ａ−１，４５Ａ−２及び可動端子足部４１Ａ，４９Ａ，３３Ａ，４９Ａ−１，３３Ａ−１，４９Ａ−２を、カード５の移動方向に対して直交する方向に互いに離間させることができる。
【００８４】
また、本発明の実施の形態によれば、一段目の開閉接点（第２接点４Ａ、第４接点４Ｂ及び第６接点４Ｃ）と二段目の開閉接点（第１接点３Ａ、第３接点３Ｂ及び第５接点３Ｃ）とをベース２で隔絶することで、一段目の開閉接点（第２接点４Ａ、第４接点４Ｂ及び第６接点４Ｃ）と二段目の開閉接点（第１接点３Ａ、第３接点３Ｂ及び第５接点３Ｃ）との絶縁距離を適正化することが容易になる。また、第１接点３Ａ、第３接点３Ｂ、第５接点３Ｃ、第２接点４Ａ、第４接点４Ｂ及び第６接点４Ｃが、ベース２を挟んでカード５の移動方向に沿って交互に二段で配置されるので、同数の開閉接点の全部を一段に並列に配置する場合に比べて、カード５の移動方向にコンパクトに構成することができる。
【００８５】
また、本発明の実施の形態によれば、一段目の固定端子（第２、第４、第６固定端子２２Ａ，２２Ｂ，２２Ｃ）における固定端子足部４５Ａ，４５Ａ−１，４５Ａ−２が固定バネ４３の中間部の側方に位置し、また、一段目の可動端子（第２、第４，第６可動端子２３Ａ，２３Ｂ，２３Ｃ）における可動端子足部４９Ａ，４９Ａ−１，４９Ａ−２が可動バネ４７の後端部の側方に位置することで、一段目の第２接点４Ａ、第４接点４Ｂ及び第６接点４Ｃでは、固定端子足部４５Ａ，４５Ａ−１，４５Ａ−２と可動端子足部４９Ａ，４９Ａ−１，４９Ａ−２とを、カード５の移動方向に対して直交する方向に互いに離間させることができる。また、二段目の固定端子である第１固定端子２０Ａにおける固定端子足部３７Ａは固定バネ３５の中間部の側方に位置し、二段目の可動端子である第１可動端子２１Ａにおける可動端子足部４１Ａは可動バネ３９の後端部の側方に位置し、二段目の固定端子である第３、第５固定端子２０Ｂ，２０Ｃにおける固定端子足部２７Ａ、２７Ａ−１は固定バネ２５の後端部の側方に位置し、二段目の可動端子である第３、第５可動端子２１Ｂ，２１Ｃにおける可動端子足部３３Ａ，３３Ａ−１は可動バネ３１の中間部の側方に位置することで、二段目の第１接点３Ａ、第３接点３Ｂ及び第５接点３Ｃでは、固定端子足部３７Ａ，２７Ａ，２７Ａ−１と可動端子足部４１Ａ，３３Ａ，３３Ａ−１とを、カード５の移動方向に対して直交する方向に互いに離間させることができる。
【００８６】
このために、電磁リレーが実装される基板のフットプリントの設計に合わせた固定端子足部３７Ａ，４５Ａ，２７Ａ，４５Ａ−１，２７Ａ−１，４５Ａ−２と可動端子足部４１Ａ，４９Ａ，３３Ａ，４９Ａ−１，３３Ａ−１，４９Ａ−２の配置を決定することが可能になる。
【００８７】
また、本発明の実施の形態によれば、上段の第１，第３，第５接点３Ａ，３Ｂ，３Ｃを第１，第３，第５開閉接点装着部５２Ａ，５２Ｂ，５２Ｃに装着して、第１，第３，第５接点３Ａ，３Ｂ，３Ｃをベース２の上面部５１ａに取付け、下段の第２，第４，第６接点４Ａ，４Ｂ，４Ｃを第２，第４，第６開閉接点装着部７９Ａ，７９Ｂ，７９Ｃに装着して、第２，第４，第６接点４Ａ，４Ｂ，４Ｃをベース２の下面部５１ｂに取付けることで端子ユニットＵを構成することができる。したがって、全体をコンパクトに構成することができるので、部品組立てが容易になる。
【００８８】
また、第１，第３，第５開閉接点装着部５２Ａ，５２Ｂ，５２Ｃ間の隔壁５５，５６，５７及び第２，第４，第６開閉接点装着部７９Ａ，７９Ｂ，７９Ｃの隔壁５５Ａ，５６Ａ，５７Ａで絶縁距離を適正化することが容易になる。
【００８９】
また、本発明の実施の形態によれば、下段の第２，第４及び第６接点４Ａ，４Ｂ，４Ｃはベース２とカバー１とで保持され、上段の第１、第３、第５接点３Ａ，３Ｂ，３Ｃはベース２とケース８とで確実に保持される。
【産業上の利用可能性】
【００９０】
本発明に係る電磁リレーによれば、低背で且つコンパクトであって、基板に嵩低く実装することができると共に、セーフティリレーとして回路の二重化を実施するにあたって、配線パターンで接続する配線設計が容易になって、基板占有面積を狭くして基板の一面のみの使用を可能にし、基板に他の部品を載せるスペースを残すことができるという効果を有しており、複数の開閉接点を備えた多極型の電磁リレー等に有用である。
【図面の簡単な説明】
【００９１】
【図１】本発明に係る電磁リレーの斜視図である。
【図２】同電磁リレーを、その下面側から見た斜視図である。
【図３】同電磁リレーの分解状態の斜視図である。
【図４】カバーの一部を破断して電磁ブロック及び可動ブロックの部分を断面した同電磁リレーの概略的な下面図である。
【図５】ケースを取外した状態の電磁リレーの全体を前面側から見た斜視図である。
【図６】ケースを取外した状態の電磁リレーの上面図である。
【図７】ケースを取外した状態の電磁リレーの下面図である。
【図８】ベースの上面図である。
【図９】ベースの下面図である。
【図１０】カバーの斜視図である。
【図１１】電磁リレーの開閉接点を前面側から見た斜視図である。
【図１２】電磁リレーの開閉接点を後面側から見た斜視図である。
【図１３】上段（二段目）の開閉接点を後面側から見た斜視図である。
【図１４】上段（二段目）の開閉接点における第１接点の斜視図である。
【図１５】同第１接点における可動端子の斜視図である。
【図１６】上段（二段目）の開閉接点における第３、第５接点の斜視図である。
【図１７】下段（一段目）の開閉接点を後面側から見た斜視図である。
【図１８】下段（一段目）の開閉接点における第２、第４、第６接点の斜視図である。
【図１９】同第２、第４、第６接点における固定端子の斜視図である。
【図２０】同第２、第４、第６接点における可動端子の斜視図である。
【図２１】本発明に係る電磁リレーにおいて端子足部の配列を説明するための説明図である。
【図２２】本発明の電磁リレーを二個用い回路の二重化を実施した場合における配線パターンの説明図である。
【図２３】従来の電磁リレーの断面図である。
【図２４】図２４のＸ−Ｘ線に沿う断面図である。
【図２５】図２４及び図２５のＹ−Ｙ線に沿う断面図である。
【図２６】従来の電磁リレーにおいて端子足部の配列を説明するための説明図である。
【図２７】従来の電磁リレーを二個用い回路の二重化を実施した場合における配線パターンの説明図である。
【符号の説明】
【００９２】
Ｕ          端子ユニット
１          カバー（外被体）
２          ベース（絶縁隔絶部材）
３          上段の開閉接点（二段目の開閉接点）
３Ａ        第１接点
３Ｂ        第３接点
３Ｃ        第５接点
４          下段の開閉接点（一段目の開閉接点）
４Ａ        第２接点
４Ｂ        第４接点
４Ｃ        第６接点
５          カード（移動体）
６          電磁石ブロック
７          可動ブロック
８          ケース（外被体）
１０Ａ      第２固定端子貫通孔部（貫通孔部）
１０Ｂ      第４固定端子貫通孔部（貫通孔部）
１０Ｃ      第６固定端子貫通孔部（貫通孔部）
１１Ａ，１１Ｂ，１１Ｃ，１１Ｄ，１１Ｅ，１１Ｆ  カバー側隔壁
１２Ａ，１２Ｂ，１２Ｃ，１２Ｄ  切欠き部
２０Ａ      第１固定端子
２０Ｂ      第３固定端子
２０Ｃ      第５固定端子
２１Ａ      第１可動端子
２１Ｂ      第３可動端子
２１Ｃ      第５可動端子
２２Ａ      第２固定端子
２２Ｂ      第４固定端子
２２Ｃ      第６固定端子
２３Ａ      第２可動端子
２３Ｂ      第４可動端子
２３Ｃ      第６可動端子
２４        固定側支持部
２５        固定バネ
２６        固定接点
２７        固定端子リード部
２７Ａ      固定端子足部
２７Ａ−１  固定端子足部
３０        可動側支持部
３１        可動バネ
３３        可動端子リード部
３３Ａ      可動端子足部
３３Ａ−１  可動端子足部
３４        固定側支持部
３５        固定バネ
３６        固定接点
３７        固定端子リード部
３７Ａ      固定端子足部
３８        可動側支持部
３９        可動バネ
４０        可動接点
４１        可動端子リード部
４１Ａ      可動端子足部
４２        固定側支持部
４３        固定バネ
４５        固定端子リード部
４５Ａ      固定端子足部
４５Ａ−１  固定端子足部
４５Ａ−２  固定端子足部
４６        可動側支持部
４７        可動バネ
４９        可動端子リード部
４９Ａ      可動端子足部
４９Ａ−１  可動端子足部
５２Ａ      第１開閉接点装着部（二段目開閉接点装着部）
５２Ｂ      第３開閉接点装着部（二段目開閉接点装着部）
５２Ｃ      第５開閉接点装着部（二段目開閉接点装着部）
５３        第１固定端子装着部
５４        第１可動端子装着部
５５，５６，５７  隔壁
５５Ａ，５６Ａ，５７Ａ  隔壁
６２        固定端子挿入孔部
６４        可動端子挿入孔部
６５        第３固定端子装着部
６６        第３可動端子装着部
６９        固定端子挿入孔部
７２        第５可動端子装着部
７３        第５固定端子装着部
７６        可動端子挿入孔部
７８        固定端子挿入孔部
７９Ａ      第２開閉接点装着部（一段目開閉接点装着部）
７９Ｂ      第４開閉接点装着部（一段目開閉接点装着部）
７９Ｃ      第６開閉接点装着部（一段目開閉接点装着部）
８２        第２固定端子装着部
８３        第２可動端子装着部
８７        第４固定端子装着部
８８        第４可動端子装着部
９２        第６固定端子装着部
９３        第６可動端子装着部
【図１】
0004730108.tif 000002
【図２】
0004730108.tif 000003
【図３】
0004730108.tif 000004
【図４】
0004730108.tif 000005
【図５】
0004730108.tif 000006
【図６】
0004730108.tif 000007
【図７】
0004730108.tif 000008
【図８】
0004730108.tif 000009
【図９】
0004730108.tif 000010
【図１０】
0004730108.tif 000011
【図１１】
0004730108.tif 000012
【図１２】
0004730108.tif 000013
【図１３】
0004730108.tif 000014
【図１４】
0004730108.tif 000015
【図１５】
0004730108.tif 000016
【図１６】
0004730108.tif 000017
【図１７】
0004730108.tif 000018
【図１８】
0004730108.tif 000019
【図１９】
0004730108.tif 000020
【図２０】
0004730108.tif 000021
【図２１】
0004730108.tif 000022
【図２２】
0004730108.tif 000023
【図２３】
0004730108.tif 000024
【図２４】
0004730108.tif 000025
【図２５】
0004730108.tif 000026
【図２６】
0004730108.tif 000027
【図２７】
0004730108.tif 000028